【手続補正書】
【提出日】平成23年5月10日(2011.5.10)
【手続補正１】
【補正対象書類名】特許請求の範囲
【補正対象項目名】全文
【補正方法】変更
【補正の内容】
【特許請求の範囲】
【請求項１】
１以上のページを有する文書情報が格納され得る文書情報格納部と、
ユーザにより行われた紙のページをめくる動作と同様の動作を検出し、検出結果を出力する動作検出部と、
前記動作検出部が出力する検出結果を用いて、ページをめくる動作が行われたことを示す情報であるユーザ動作情報を取得する動作情報取得部と、
前記ユーザ動作情報に応じた出力であって、ページがめくられたことをユーザに知覚させるための出力であるページフリップ出力を行うページフリップ出力部と、
前記文書情報格納部に格納されている文書情報から、前記動作情報取得部が取得したユーザ動作情報に応じたページの情報を読み出し、表示する文書ページ表示部と、を具備する電子ブック装置。
【請求項２】
前記動作検出部は、曲がりを検出する湾曲検出手段を備えており、ユーザにより行われた、前記湾曲検出手段を曲げる動作を検出する請求項１記載の電子ブック装置。
【請求項３】
前記ページフリップ出力部が行うページフリップ出力は、ページがめくられている状態を示す画像の表示である請求項１記載の電子ブック装置。
【請求項４】
前記動作情報取得部は、前記動作検出部が検出した動作の継続時間に応じたページ数のページをめくるユーザ動作情報を取得し、
前記ページフリップ出力部は、前記ユーザ動作情報が示すページ数に応じたページをめくる画像を表示し、
前記文書ページ表示部は、前記ユーザ動作情報が示すページ数を移動したページの情報を表示する請求項１記載の電子ブック装置。
【請求項５】
前記動作情報取得部は、前記動作検出部が動作を検出した回数をカウントし、カウント結果に応じたページ数のページをめくるユーザ動作情報を取得し、
前記ページフリップ出力部は、前記ユーザ動作情報が示すページ数に応じたページをめくる画像を表示し、
前記文書ページ表示部は、前記ユーザ動作情報が示すページ数を移動したページの情報を表示する請求項１記載の電子ブック装置。
【請求項６】
前記動作検出部は、表面の接触を検出する接触検出手段を備えており、ユーザにより行われた、前記接触検出手段の表面を移動する動作を検出し、
前記動作情報取得部は、前記動作検出部の湾曲検出手段と接触検出手段とが出力する検出結果との組み合わせにより、ページをめくる動作が行われたことを示す情報であるユーザ動作情報を取得する請求項１記載の電子ブック装置。
【請求項７】
書籍の背面を覆うように配置されるブックカバー装置であって、
ユーザにより行われた前記書籍に対するページをめくる動作を検出し、検出結果を出力する動作検出部と、
前記動作検出部が出力する検出結果を用いて、ページをめくる動作が行われたことを示す情報であるユーザ動作情報を取得する動作情報取得部と、
前記ユーザ動作情報に応じた出力であって、ページがめくられたことをユーザに知覚させるための出力であるページフリップ出力を行うページフリップ出力部と、を具備するブックカバー装置。
【請求項８】
コンピュータを、
ユーザにより行われた紙のページをめくる動作と同様の動作を検出し、検出結果を出力する動作検出部が出力する検出結果を用いて、ページをめくる動作が行われたことを示す情報であるユーザ動作情報を取得する動作情報取得部と、
前記ユーザ動作情報に応じた出力であって、ページがめくられたことをユーザに知覚させるための出力であるページフリップ出力を行うページフリップ出力部と、
格納されている１以上のページを有する文書情報から、前記動作情報取得部が取得したユーザ動作情報に応じたページの情報を読み出し、表示する文書ページ表示部として機能させるためのプログラム。
【請求項９】
前記動作検出部は、前記文書ページ表示部が表示するページの右側または左側の少なくとも一方における、ページが表示される面に対して反対方向である裏面方向への曲がりを検出し、
前記動作情報取得部は、前記動作検出部が曲がりを検出した側のページをめくる動作が行われたことを示すユーザ動作情報を取得し、
前記ページフリップ出力部は、前記ユーザ動作情報が示しているページがめくられたことを示すページフリップ出力を行う請求項１記載の電子ブック装置。
【請求項１０】
前記動作検出部は、前記文書ページ表示部が表示するページの右側または左側の少なくとも一方における、ページが表示される面の方向である表面方向への曲がりを検出し、
前記動作情報取得部は、前記動作検出部が曲がりを検出した側のページをめくる動作が行われたことを示すユーザ動作情報を取得し、
前記ページフリップ出力部は、前記ユーザ動作情報が示しているページがめくられたことを示すページフリップ出力を行う請求項１記載の電子ブック装置。
【請求項１１】
前記動作情報取得部は、前記動作検出部が曲がりを検出した側の、１ページをめくる動作が行われたことを示すユーザ動作情報を取得し、
前記ページフリップ出力部は、前記ユーザ動作情報が示している１ページがめくられたことを示すページフリップ出力を行い、
前記文書ページ表示部は、前記文書情報格納部に格納されている文書情報から、前記ユーザ動作情報が示す１ページをめくった後のページの情報を読み出し、表示する請求項１０記載の電子ブック装置。
【請求項１２】
前記動作情報取得部は、前記動作検出部が予め指定した量より大きい曲がりを検出した場合に、前記動作検出部が曲がりを検出した側の、複数ページの束をめくる動作である束めくりが行われたことを示すユーザ動作情報を取得し、
前記ページフリップ出力部は、前記ユーザ動作情報が示している束めくりが行われたことを示すページフリップ出力を行い、
前記文書ページ表示部は、前記文書情報格納部に格納されている文書情報から、前記ユーザ動作情報が示す束めくりを行った後のページの情報を読み出し、表示する請求項９から請求項１１いずれか記載の電子ブック装置。
【請求項１３】
前記動作情報取得部は、
前記動作検出部の曲がりを検出している時間が所定の時間を経過する毎に、１ページをめくる動作が行われたことを示すユーザ動作情報を取得するものであり、
前記所定の時間は、１度の曲げに対するユーザ動作情報の取得回数に応じて、短縮される請求項９または請求項１０記載の電子ブック装置。
【請求項１４】
前記ページフリップ出力部は、予め設定されているページである束めくり先ページまでの束めくりが行われたことを示すページフリップ出力を行い、
前記文書ページ表示部は、前記文書情報格納部に格納されている文書情報から、前記束めくり先ページの情報を読み出し、表示する請求項１２記載の電子ブック装置。
【請求項１５】
ユーザの閲覧履歴を示す情報である閲覧履歴情報を取得する閲覧履歴取得部を更に備え、
前記動作情報取得部は、前記閲覧履歴取得部が取得した閲覧履歴情報を用いて、前記束めくり先ページを設定する請求項１４記載の電子ブック装置。
【請求項１６】
前記ページが表示される面は、１以上の隅を有する面に設けられており、
前記１以上の隅を有する面の、１以上の隅に対する、表面側に折り曲げる動作を検出する折り曲げ検出部と、
当該折り曲げ検出部が折り曲げ動作を検出した場合に、折り曲げられた側に表示されているページを、折り曲げが行われたページに指定する情報である折り曲げ情報を取得する折り曲げ情報取得部とをさらに備えた請求項１記載の電子ブック装置。
【請求項１７】
前記動作情報取得部は、前記動作検出部が予め指定した量より大きい曲がりを検出した場合に、
前記折り曲げ情報取得部が取得した折り曲げ情報が指定するページまで、ページをめくるユーザ動作情報を取得する請求項１６記載の電子ブック装置。
【請求項１８】
前記ページフリップ出力部は、前記折り曲げ情報取得部が取得した折り曲げ情報が指定するページをめくる速さが、他のページをめくる速さよりも遅くなるようなページめくりの画像を構成して出力する請求項１６記載の電子ブック装置。
【請求項１９】
前記折り曲げ検出部は、さらに、前記１以上の隅を有する面の、１以上の隅に対する、裏面側へ折り曲げる動作である折り戻り動作を検出し、
前記折り曲げ情報検出部は、折り曲げ情報が指定するページに対する、前記折り戻し動作を検出した際に、当該ページを指定する折り曲げ情報を削除する請求項１６から請求項１８いずれか記載の電子ブック装置。
【請求項２０】
前記動作情報取得部は、さらに、前記動作検出部が検出した曲がりの速さの情報を含むユーザ動作情報を取得し、
前記ページフリップ出力部が行うページフリップ出力は、ページがめくられている状態を示す動画像の表示であり、
前記ページフリップ出力部は、前記ユーザ動作情報が示している曲がりの速さに応じた速さで、ページがめくられている動画像を表示する請求項９または請求項１０記載の電子ブック装置。